(57)【要約】【課題】  オブジェクトの修飾操作を容易にする印刷データ編集装置及び印刷データ編集プログラムを提供する。【解決手段】  修飾画面２００では修飾リスト欄２０２で修飾リストを選択ができ、全レベル表示チェックボックス２０５がチェックされていると、全レベルの修飾イメージがレベル順に、プレビュー欄２０１の横方向に横リストボックス２０７で選択された数を並べ、縦リストボックス２０６で選択された数の行数表示される。そして、プレビュー欄２０１の印刷イメージの選択により修飾レベルを選択でき、図では修飾イメージ２２１が選択されている。そして、ＯＫが選択されると、選択された修飾リストの修飾レベルの修飾内容が編集中のオブジェクトに適応される。尚、修飾画面２００では、修飾レベルスライダ２０４で修飾リストの中の修飾レベルを選択でき、この際にはプレビュー欄２０１には選択された修飾レベルの修飾イメージのみが表示される。【選択図】  図１２
2005292964.tif 000002
【特許請求の範囲】
【請求項１】
印刷装置で印刷を行うための印刷データを編集する印刷データ編集装置であって、
前記印刷装置で印刷される印刷対象である１以上のオブジェクトに対して行われる複数の修飾項目に対する修飾内容である修飾情報について、少なくとも１つ以上の前記修飾情報から成り、かつ、相対的なレベルを割り当てられた集合修飾情報として記憶する集合修飾情報記憶手段と、
前記集合修飾情報記憶手段に記憶されている前記修飾情報の前記集合修飾情報における前記レベルを指定するレベル指定手段と、
当該レベル指定手段により指定された前記レベルの前記修飾情報の各修飾項目の修飾内容に基づいて、前記修飾項目の修飾を行う修飾設定手段と
を備えたことを特徴とする印刷データ編集装置。
【請求項２】
前記集合修飾情報記憶手段には複数の前記集合修飾情報が記憶されており、前記集合修飾情報を指定する集合修飾情報指定手段を備え、
前記レベル指定手段は、前記集合修飾情報指定手段により指定された前記集合修飾情報に含まれている前記修飾情報の前記レベルを指定することを特徴とする請求項１に記載の印刷データ編集装置。
【請求項３】
前記集合修飾情報には当該集合修飾情報を識別するための名称が付与されて前記集合修飾情報記憶手段に記憶されていることを特徴とする請求項１又は請求項２に記載の印刷データ編集装置。
【請求項４】
前記集合修飾情報を識別するための名称を付与する名称付与手段を備えたことを特徴とする請求項３に記載の印刷データ編集装置。
【請求項５】
前記集合修飾情報指定手段は、前記名称により前記集合修飾情報を指定することを特徴とする請求項３に記載の印刷データ編集装置。
【請求項６】
前記レベル指定手段は、前記レベルを示す値又は文字を入力すること、前記レベルを示す値又は文字を選択すること、若しくは、スライダーにより前記レベルを選択することにより前記レベルを指定することを特徴とする請求項１乃至請求項５のいずれかに記載の印刷データ編集装置。
【請求項７】
前記修飾情報の各修飾項目の修飾内容に従って修飾された前記オブジェクトの印刷イメージを表示する印刷イメージ表示手段と、
前記集合修飾情報指定手段により指定された前記集合修飾情報に含まれている前記修飾情報の中から、前記修飾設定手段で修飾する前記修飾情報の前記レベルを前記レベル指定手段で指定する際に、指定された前記集合修飾情報に含まれている前記修飾情報の全てのレベル又は少なくとも１つのレベルの前記修飾情報の修飾内容に従って修飾された前記オブジェクトの印刷イメージを前記印刷イメージ表示手段に表示させる印刷イメージ表示制御手段と
を備えたことを特徴とする請求項１乃至請求項６のいずれかに記載の印刷データ編集装置。
【請求項８】
前記印刷イメージ表示制御手段は、複数の印刷イメージを前記レベルの順序に従って前記印刷イメージ表示手段に表示させることを特徴とする請求項７に記載の印刷データ編集装置。
【請求項９】
前記印刷イメージ表示制御手段は、
前記印刷イメージ表示手段において一行に表示可能な前記印刷イメージの数より多くの前記印刷イメージを表示する場合には、前記印刷イメージを折り返して複数行に表示し、
折り返しを行った際に一画面に表示可能な行数より多くの前記印刷イメージを表示する場合には、スクロール表示を行うことを特徴とする請求項７又は請求項８に記載の印刷データ編集装置。
【請求項１０】
前記印刷イメージ表示手段に表示させる前記印刷イメージの数を設定する表示数設定手段を備えたことを特徴とする請求項７乃至請求項９のいずれかに記載の印刷データ編集装置。
【請求項１１】
前記集合修飾情報記憶手段に前記集合修飾情報を追加する集合修飾情報追加手段と、
前記集合修飾情報記憶手段に記憶されている前記集合修飾情報を削除する集合修飾情報削除手段と、
前記集合修飾情報記憶手段に記憶されている前記集合修飾情報の内容を編集する集合修飾情報編集手段と
を備え、
前記集合修飾情報編集手段は、
前記集合修飾情報における前記レベルを指定して、前記修飾情報を追加する修飾情報追加手段と、
前記集合修飾情報に含まれる前記修飾情報の各修飾項目の修飾内容を指定する修飾内容指定手段と、
前記集合修飾情報に含まれる前記修飾情報の前記レベルを変更するレベル変更手段と、
前記集合修飾情報に含まれる前記修飾情報を削除する修飾情報削除手段と
を備えていることを特徴とする請求項１乃至請求項１０のいずれかに記載の印刷データ編集装置。
【請求項１２】
前記修飾内容指定手段において指定された修飾内容に従って修飾された前記オブジェクトの印刷イメージを表示するサンプル印刷イメージ表示手段を備えていることを特徴とする請求項１１に記載の印刷データ編集装置。
【請求項１３】
前記集合修飾情報記憶手段に記憶されている前記集合修飾情報を、当該修飾情報記憶手段以外の当該印刷データ編集装置の記憶手段、又は、当該印刷データ編集装置の外部の記憶手段に記憶させる集合修飾情報出力手段を備えたことを特徴とする請求項１乃至請求項１２のいずれかに記載の印刷データ編集装置。
【請求項１４】
当該印刷データ編集装置の前記修飾情報記憶手段以外の記憶手段、又は、当該印刷データ編集装置の外部の記憶手段に記憶されている前記集合修飾情報を、前記集合修飾情報記憶手段に記憶させる集合修飾情報取込手段を備えたことを特徴とする請求項１乃至請求項１３のいずれかに記載の印刷データ編集装置。
【請求項１５】
印刷装置で印刷を行うための印刷データを編集するコンピュータを、
前記印刷装置で印刷される印刷対象である１以上のオブジェクトに対して行われる複数の修飾項目に対する修飾内容である修飾情報について、少なくとも１つ以上の前記修飾情報から成り、かつ、相対的なレベルを割り当てて集合修飾情報として記憶する集合修飾情報記憶手段と、
前記集合修飾情報記憶手段に記憶されている前記修飾情報の前記集合修飾情報における前記レベルを指定するレベル指定手段と、
当該レベル指定手段により指定された前記レベルの前記修飾情報の各修飾項目の修飾内容に基づいて、前記修飾項目の修飾を行う修飾設定手段と
として機能させることを特徴とする印刷データ編集プログラム。
【請求項１６】
前記コンピュータを、
前記集合修飾情報記憶手段には複数の前記集合修飾情報が記憶されており、前記集合修飾情報を指定する集合修飾情報指定手段として機能させ、
前記集合修飾情報指定手段により指定された前記集合修飾情報に含まれている前記修飾情報の前記レベルを指定する前記レベル指定手段として機能させることを特徴とする請求項１５に記載の印刷データ編集プログラム。
【請求項１７】
前記コンピュータを、
前記集合修飾情報には当該集合修飾情報を識別するための名称が付与されて記憶される前記集合修飾情報記憶手段として機能させることを特徴とする請求項１５又は請求項１６に記載の印刷データ編集プログラム。
【請求項１８】
前記コンピュータを、
前記集合修飾情報を識別するための名称を付与する名称付与手段として機能させることを特徴とする請求項１７に記載の印刷データ編集プログラム。
【請求項１９】
前記コンピュータを、
前記名称により前記集合修飾情報を指定する前記集合修飾情報指定手段として機能させることを特徴とする請求項１７に記載の印刷データ編集プログラム。
【請求項２０】
前記コンピュータを、
前記レベルを示す値又は文字を入力すること、前記レベルを示す値又は文字を選択すること、若しくは、スライダーにより前記レベルを選択することにより前記レベルを指定する前記レベル指定手段として機能させることを特徴とする請求項１５乃至請求項１９のいずれかに記載の印刷データ編集プログラム。
【請求項２１】
前記コンピュータを、
前記修飾情報の各修飾項目の修飾内容に従って修飾された前記オブジェクトの印刷イメージを表示する印刷イメージ表示手段と、
前記集合修飾情報指定手段により指定された前記集合修飾情報に含まれている前記修飾情報の中から、前記修飾設定手段で修飾する前記修飾情報の前記レベルを前記レベル指定手段で指定する際に、指定された前記集合修飾情報に含まれている前記修飾情報の全てのレベル又は少なくとも１つのレベルの前記修飾情報の修飾内容に従って修飾された前記オブジェクトの印刷イメージを前記印刷イメージ表示手段に表示させる印刷イメージ表示制御手段と
として機能させることを特徴とする請求項１５乃至請求項２０のいずれかに記載の印刷データ編集プログラム。
【請求項２２】
前記コンピュータを、
複数の印刷イメージを前記レベルの順序に従って前記印刷イメージ表示手段に表示させる前記印刷イメージ表示制御手段として機能させることを特徴とする請求項２１に記載の印刷データ編集プログラム。
【請求項２３】
前記コンピュータを、
前記印刷イメージ表示手段において一行に表示可能な前記印刷イメージの数より多くの前記印刷イメージを表示する場合には、前記印刷イメージを折り返して複数行に表示し、
折り返しを行った際に一画面に表示可能な行数より多くの前記印刷イメージを表示する場合には、スクロール表示を行う前記印刷イメージ表示制御手段として機能させることを特徴とする請求項２１又は請求項２２に記載の印刷データ編集プログラム。
【請求項２４】
前記コンピュータを、
前記印刷イメージ表示手段に表示させる前記印刷イメージの数を設定する表示数設定手段として機能させることを特徴とする請求項２１乃至請求項２３のいずれかに記載の印刷データ編集プログラム。
【請求項２５】
前記コンピュータを、
前記集合修飾情報記憶手段に前記集合修飾情報を追加する集合修飾情報追加手段と、
前記集合修飾情報記憶手段に記憶されている前記集合修飾情報を削除する集合修飾情報削除手段と、
前記集合修飾情報記憶手段に記憶されている前記集合修飾情報の内容を編集する集合修飾情報編集手段と
として機能させ、
前記集合修飾情報における前記レベルを指定して、前記修飾情報を追加する修飾情報追加手段と、
前記集合修飾情報に含まれる前記修飾情報の各修飾項目の修飾内容を指定する修飾内容指定手段と、
前記集合修飾情報に含まれる前記修飾情報の前記レベルを変更するレベル変更手段と、
前記集合修飾情報に含まれる前記修飾情報を削除する修飾情報削除手段と
として機能する前記集合修飾情報編集手段として機能させることを特徴とする請求項１５乃至請求項２４のいずれかに記載の印刷データ編集プログラム。
【請求項２６】
前記コンピュータを、
当該修飾内容指定手段において指定された修飾内容に従って修飾された前記オブジェクトの印刷イメージを表示するサンプル印刷イメージ表示手段として機能させることを特徴とする請求項２５に記載の印刷データ編集プログラム。
【請求項２７】
前記コンピュータを、
前記集合修飾情報記憶手段に記憶されている前記集合修飾情報を、当該修飾情報記憶手段以外の当該コンピュータの記憶手段、又は、当該コンピュータの外部の記憶手段に記憶させる集合修飾情報出力手段として機能させることを特徴とする請求項１５乃至請求項２６のいずれかに記載の印刷データ編集プログラム。
【請求項２８】
前記コンピュータを、
当該コンピュータの前記修飾情報記憶手段以外の記憶手段、又は、当該コンピュータの外部の記憶手段に記憶されている前記集合修飾情報を、前記集合修飾情報記憶手段に記憶させる集合修飾情報取込手段として機能させることを特徴とする請求項１５乃至請求項２７のいずれかに記載の印刷データ編集プログラム。
【発明の詳細な説明】
【技術分野】
【０００１】
本発明は、印刷データ編集装置及び印刷データ編集プログラムに関するものであり、詳細には、印刷装置で印刷される印刷対象であるオブジェクトに対する修飾に関するものである。
【背景技術】
【０００２】
従来、印刷装置で印刷する印刷データを編集する場合には、テキストデータやイメージデータ等のオブジェクトに対する修飾は選択された１つ又は複数のオブジェクトに対して、個々に修飾項目の設定が行われている。また従来、ディスプレイやドット印字機構を備えたワードプロセッサなどにおいては、文字の書体やアンダーライン等の書式の設定が文書毎や文字毎に行われていた。しかしながら、文書に対する書式設定（フォーマット）は１つの文書に対して１種類だけ設定可能であるため、同様の文書を異なる書式で印刷したい場合には、書式設定を繰り返さなければならず、操作が煩雑になるので、あらかじめ複数の書式設定を登録しておき、文書毎にそれらの書式設定から選択するという印字装置が提案されていた（例えば、特許文献１参照）。
【特許文献１】特開平５−１７７９００号公報
【発明の開示】
【発明が解決しようとする課題】
【０００３】
しかしながら、印刷データを編集する際に、オブジェクト毎に修飾設定が行われる場合には、いろいろな修飾設定を試みて所望する修飾の組み合わせを得たい際に、オブジェクト毎に修飾設定を行い、修飾結果を確認して、別の修飾設定を行い、さらに修飾結果を確認するという作業を繰り替えすことになり、大変手間がかかる。また、それをオブジェクト毎に行ったり、複数のオブジェクトを選択したりすることにも手間がかかる。また、修飾設定を繰り返すのでは、修飾結果を並べて比較することはできないので、比較をしながら最良の修飾の組み合わせを選択するためには、その都度印刷を行い印刷結果を得る必要があり、被印刷媒体や印刷媒体を消費したり、時間がかかったりするという問題点がある。
【０００４】
また、特許文献１のような印字装置では、文書全体に対する書式設定がおこなわれるが、オブジェクトとして文字（テキスト）を扱っているのみである。しかしながら、昨今はオブジェクトとして文字のみならずイメージデータも頻繁に扱われている。また、複数のオブジェクトをグループ化させることや、文書全体に対する修飾も行われている。また、テキストに対する修飾も複雑に多様になっている。そこで、予め登録する書式設定もさらに詳細に且つ多様にしたいという問題点がある。
【０００５】
本発明は、上述の問題点を解決するためになされたものであり、オブジェクトの修飾操作を容易にする印刷データ編集装置及び印刷データ編集プログラムを提供しようとするものである。
【課題を解決するための手段】
【０００６】
上記課題を解決するため、請求項１に係る発明の印刷データ編集装置では、印刷装置で印刷を行うための印刷データを編集する印刷データ編集装置であって、前記印刷装置で印刷される印刷対象である１以上のオブジェクトに対して行われる複数の修飾項目に対する修飾内容である修飾情報について、少なくとも１つ以上の前記修飾情報から成り、かつ、相対的なレベルを割り当てられた集合修飾情報として記憶する集合修飾情報記憶手段と、前記集合修飾情報記憶手段に記憶されている前記修飾情報の前記集合修飾情報における前記レベルを指定するレベル指定手段と、当該レベル指定手段により指定された前記レベルの前記修飾情報の各修飾項目の修飾内容に基づいて、前記修飾項目の修飾を行う修飾設定手段とを備えたことを特徴とする構成となっている。
【０００７】
また、請求項２に係る発明の印刷データ編集装置では、請求項１に記載の発明の構成に加えて、前記集合修飾情報記憶手段には複数の前記集合修飾情報が記憶されており、前記集合修飾情報を指定する集合修飾情報指定手段を備え、前記レベル指定手段は、前記集合修飾情報指定手段により指定された前記集合修飾情報に含まれている前記修飾情報の前記レベルを指定することを特徴とする構成となっている。
【０００８】
また、請求項３に係る発明の印刷データ編集装置では、請求項１又は請求項２に記載の発明の構成に加えて、前記集合修飾情報には当該集合修飾情報を識別するための名称が付与されて前記集合修飾情報記憶手段に記憶されていることを特徴とする構成となっている。
【０００９】
また、請求項４に係る発明の印刷データ編集装置では、請求項３に記載の発明の構成に加えて、前記集合修飾情報を識別するための名称を付与する名称付与手段を備えていることを特徴とする構成となっている。
【００１０】
また、請求項５に係る発明の印刷データ編集装置では、請求項３に記載の発明の構成に加えて、前記集合修飾情報指定手段は、前記名称により前記集合修飾情報を指定することを特徴とする構成となっている。
【００１１】
また、請求項６に係る発明の印刷データ編集装置では、請求項１乃至請求項５のいずれかに記載の発明の構成に加えて、前記レベル指定手段は、前記レベルを示す値又は文字を入力すること、前記レベルを示す値又は文字を選択すること、若しくは、スライダーにより前記レベルを選択することにより前記レベルを指定することを特徴とする構成となっている。
【００１２】
また、請求項７に係る発明の印刷データ編集装置では、請求項１乃至請求項６のいずれかに記載の発明の構成に加えて、前記修飾情報の各修飾項目の修飾内容に従って修飾された前記オブジェクトの印刷イメージを表示する印刷イメージ表示手段と、前記集合修飾情報指定手段により指定された前記集合修飾情報に含まれている前記修飾情報の中から、前記修飾設定手段で修飾する前記修飾情報の前記レベルを前記レベル指定手段で指定する際に、指定された前記集合修飾情報に含まれている前記修飾情報の全てのレベル又は少なくとも１つのレベルの前記修飾情報の修飾内容に従って修飾された前記オブジェクトの印刷イメージを前記印刷イメージ表示手段に表示させる印刷イメージ表示制御手段とを備えたことを特徴とする構成となっている。
【００１３】
また、請求項８に係る発明の印刷データ編集装置では、請求項７に記載の発明の構成に加えて、前記印刷イメージ表示制御手段は、複数の印刷イメージを前記レベルの順序に従って前記印刷イメージ表示手段に表示させることを特徴とする構成となっている。
【００１４】
また、請求項９に係る発明の印刷データ編集装置では、請求項７又は請求項８に記載の発明の構成に加えて、前記印刷イメージ表示制御手段は、前記印刷イメージ表示手段において一行に表示可能な前記印刷イメージの数より多くの前記印刷イメージを表示する場合には、前記印刷イメージを折り返して複数行に表示し、折り返しを行った際に一画面に表示可能な行数より多くの前記印刷イメージを表示する場合には、スクロール表示を行うことを特徴とする構成となっている。
【００１５】
また、請求項１０に係る発明の印刷データ編集装置では、請求項７乃至請求項９のいずれかに記載の発明の構成に加えて、前記印刷イメージ表示手段に表示させる前記印刷イメージの数を設定する表示数設定手段を備えたことを特徴とする構成となっている。
【００１６】
また、請求項１１に係る発明の印刷データ編集装置では、請求項１乃至請求項１０のいずれかに記載の発明の構成に加えて、前記集合修飾情報記憶手段に前記集合修飾情報を追加する集合修飾情報追加手段と、前記集合修飾情報記憶手段に記憶されている前記集合修飾情報を削除する集合修飾情報削除手段と、前記集合修飾情報記憶手段に記憶されている前記集合修飾情報の内容を編集する集合修飾情報編集手段とを備え、前記集合修飾情報編集手段は、前記集合修飾情報における前記レベルを指定して、前記修飾情報を追加する修飾情報追加手段と、前記集合修飾情報に含まれる前記修飾情報の各修飾項目の修飾内容を指定する修飾内容指定手段と、前記集合修飾情報に含まれる前記修飾情報の前記レベルを変更するレベル変更手段と、前記集合修飾情報に含まれる前記修飾情報を削除する修飾情報削除手段とを備えていることを特徴とする構成となっている。
【００１７】
また、請求項１２に係る発明の印刷データ編集装置では、請求項１１に記載の発明の構成に加えて、前記修飾内容指定手段において指定された修飾内容に従って修飾された前記オブジェクトの印刷イメージを表示するサンプル印刷イメージ表示手段を備えていることを特徴とする構成となっている。
【００１８】
また、請求項１３に係る発明の印刷データ編集装置では、請求項１乃至請求項１２のいずれかに記載の発明の構成に加えて、前記集合修飾情報記憶手段に記憶されている前記集合修飾情報を、当該修飾情報記憶手段以外の当該印刷データ編集装置の記憶手段、又は、当該印刷データ編集装置の外部の記憶手段に記憶させる集合修飾情報出力手段を備えたことを特徴とする構成となっている。
【００１９】
また、請求項１４に係る発明の印刷データ編集装置では、請求項１乃至請求項１３のいずれかに記載の発明の構成に加えて、当該印刷データ編集装置の前記修飾情報記憶手段以外の記憶手段、又は、当該印刷データ編集装置の外部の記憶手段に記憶されている前記集合修飾情報を、前記集合修飾情報記憶手段に記憶させる集合修飾情報取込手段を備えたことを特徴とする構成となっている。
【００２０】
また、請求項１５に係る発明の印刷データ編集プログラムでは、印刷装置で印刷を行うための印刷データを編集するコンピュータを、前記印刷装置で印刷される印刷対象である１以上のオブジェクトに対して行われる複数の修飾項目に対する修飾内容である修飾情報について、少なくとも１つ以上の前記修飾情報から成り、かつ、相対的なレベルを割り当てて集合修飾情報として記憶する集合修飾情報記憶手段と、前記集合修飾情報記憶手段に記憶されている前記修飾情報の前記集合修飾情報における前記レベルを指定するレベル指定手段と、当該レベル指定手段により指定された前記レベルの前記修飾情報の各修飾項目の修飾内容に基づいて、前記修飾項目の修飾を行う修飾設定手段ととして機能させることを特徴とする構成となっている。
【００２１】
また、請求項１６に係る発明の印刷データ編集プログラムでは、請求項１５に記載の発明の構成に加えて、前記コンピュータを、前記集合修飾情報記憶手段には複数の前記集合修飾情報が記憶されており、前記集合修飾情報を指定する集合修飾情報指定手段として機能させ、前記集合修飾情報指定手段により指定された前記集合修飾情報に含まれている前記修飾情報の前記レベルを指定する前記レベル指定手段として機能させることを特徴とする構成となっている。
【００２２】
また、請求項１７に係る発明の印刷データ編集プログラムでは、請求項１５又は請求項１６に記載の発明の構成に加えて、前記コンピュータを、前記集合修飾情報には当該集合修飾情報を識別するための名称が付与されて記憶される前記集合修飾情報記憶手段として機能させることを特徴とする構成となっている。
【００２３】
また、請求項１８に係る発明の印刷データ編集プログラムでは、請求項１７に記載の発明の構成に加えて、前記集合修飾情報を識別するための名称を付与する名称付与手段として機能させることを特徴とする構成となっている。
【００２４】
また、請求項１９に係る発明の印刷データ編集プログラムでは、請求項１７に記載の発明の構成に加えて、前記コンピュータを、前記名称により前記集合修飾情報を指定する前記集合修飾情報指定手段として機能させることを特徴とする構成となっている。
【００２５】
また、請求項２０に係る発明の印刷データ編集プログラムでは、請求項１５乃至請求項１９のいずれかに記載の発明の構成に加えて、前記コンピュータを、前記レベルを示す値又は文字を入力すること、前記レベルを示す値又は文字を選択すること、若しくは、スライダーにより前記レベルを選択することにより前記レベルを指定する前記レベル指定手段として機能させることを特徴とする構成となっている。
【００２６】
また、請求項２１に係る発明の印刷データ編集プログラムでは、請求項１５乃至請求項２０のいずれかに記載の発明の構成に加えて、前記コンピュータを、前記修飾情報の各修飾項目の修飾内容に従って修飾された前記オブジェクトの印刷イメージを表示する印刷イメージ表示手段と、前記集合修飾情報指定手段により指定された前記集合修飾情報に含まれている前記修飾情報の中から、前記修飾設定手段で修飾する前記修飾情報の前記レベルを前記レベル指定手段で指定する際に、指定された前記集合修飾情報に含まれている前記修飾情報の全てのレベル又は少なくとも１つのレベルの前記修飾情報の修飾内容に従って修飾された前記オブジェクトの印刷イメージを前記印刷イメージ表示手段に表示させる印刷イメージ表示制御手段ととして機能させることを特徴とする構成となっている。
【００２７】
また、請求項２２に係る発明の印刷データ編集プログラムでは、請求項２１に記載の発明の構成に加えて、前記コンピュータを、複数の印刷イメージを前記レベルの順序に従って前記印刷イメージ表示手段に表示させる前記印刷イメージ表示制御手段として機能させることを特徴とする構成となっている。
【００２８】
また、請求項２３に係る発明の印刷データ編集プログラムでは、請求項２１又は請求項２２に記載の発明の構成に加えて、前記コンピュータを、前記印刷イメージ表示手段において一行に表示可能な前記印刷イメージの数より多くの前記印刷イメージを表示する場合には、前記印刷イメージを折り返して複数行に表示し、折り返しを行った際に一画面に表示可能な行数より多くの前記印刷イメージを表示する場合には、スクロール表示を行う前記印刷イメージ表示制御手段として機能させることを特徴とする構成となっている。
【００２９】
また、請求項２４に係る発明の印刷データ編集プログラムでは、請求項２１乃至請求項２３のいずれかに記載の発明の構成に加えて、前記コンピュータを、前記印刷イメージ表示手段に表示させる前記印刷イメージの数を設定する表示数設定手段として機能させることを特徴とする構成となっている。
【００３０】
また、請求項２５に係る発明の印刷データ編集プログラムでは、請求項１５乃至請求項２４のいずれかに記載の発明の構成に加えて、前記コンピュータを、前記集合修飾情報記憶手段に前記集合修飾情報を追加する集合修飾情報追加手段と、前記集合修飾情報記憶手段に記憶されている前記集合修飾情報を削除する集合修飾情報削除手段と、前記集合修飾情報記憶手段に記憶されている前記集合修飾情報の内容を編集する集合修飾情報編集手段ととして機能させ、前記集合修飾情報における前記レベルを指定して、前記修飾情報を追加する修飾情報追加手段と、前記集合修飾情報に含まれる前記修飾情報の各修飾項目の修飾内容を指定する修飾内容指定手段と、前記集合修飾情報に含まれる前記修飾情報の前記レベルを変更するレベル変更手段と、前記集合修飾情報に含まれる前記修飾情報を削除する修飾情報削除手段ととして機能する前記集合修飾情報編集手段として機能させることを特徴とする構成となっている。
【００３１】
また、請求項２６に係る発明の印刷データ編集プログラムでは、請求項２５に記載の発明の構成に加えて、前記コンピュータを、当該修飾内容指定手段において指定された修飾内容に従って修飾された前記オブジェクトの印刷イメージを表示するサンプル印刷イメージ表示手段として機能させることを特徴とする構成となっている。
【００３２】
また、請求項２７に係る発明の印刷データ編集プログラムでは、請求項１５乃至請求項２６のいずれかに記載の発明の構成に加えて、前記コンピュータを、前記集合修飾情報記憶手段に記憶されている前記集合修飾情報を、当該修飾情報記憶手段以外の当該コンピュータの記憶手段、又は、当該コンピュータの外部の記憶手段に記憶させる集合修飾情報出力手段として機能させることを特徴とする構成となっている。
【００３３】
また、請求項２８に係る発明の印刷データ編集プログラムでは、請求項１５乃至請求項２７のいずれかに記載の発明の構成に加えて、前記コンピュータを、当該コンピュータの前記修飾情報記憶手段以外の記憶手段、又は、当該コンピュータの外部の記憶手段に記憶されている前記集合修飾情報を、前記集合修飾情報記憶手段に記憶させる集合修飾情報取込手段として機能させることを特徴とする構成となっている。
【発明の効果】
【００３４】
請求項１に係る発明の印刷データ編集装置では、集合修飾情報記憶手段は、印刷装置で印刷される印刷対象である１以上のオブジェクトに対して行われる複数の修飾項目に対する修飾内容である修飾情報について、少なくとも１つ以上の修飾情報から成り、かつ、相対的なレベルを割り当てられた集合修飾情報として記憶し、レベル指定手段は、集合修飾情報記憶手段に記憶されている修飾情報の集合修飾情報におけるレベルを指定し、修飾設定手段は、レベル指定手段により指定されたレベルの修飾情報の各修飾項目の修飾内容に基づいて、修飾項目の修飾を行うことができる。したがって、１つ以上のオブジェクトに対して、一度に複数の修飾項目に対する修飾を行うことができ、レベルを選択することによりその修飾内容を指定することができる。よって、レベルが上がるに従ってオブジェクトが強調されるようなレベル設定などを行うことができる。
【００３５】
また、請求項２に係る発明の印刷データ編集装置では、請求項１に記載の発明の効果に加えて、集合修飾情報指定手段は、集合修飾情報記憶手段には複数の集合修飾情報が記憶されており、集合修飾情報を指定することができる。また、レベル指定手段は、集合修飾情報指定手段により指定された集合修飾情報に含まれている修飾情報のレベルを指定することができる。したがって、相対的なレベルを割り当てられた集合修飾情報を複数有することができるので、オブジェクトに対する修飾の分類を複数持ち、その各々の中で修飾内容に相対的なレベルを持たせることができる。
【００３６】
また、請求項３に係る発明の印刷データ編集装置では、請求項１又は請求項２に記載の発明の効果に加えて、集合修飾情報記憶手段は、集合修飾情報に集合修飾情報を識別するための名称を付与して記憶することができる。したがって、集合修飾情報を名称で管理することができる。また、その集合修飾情報の分類をイメージさせる名称（例えば、「派手に」、「淡いに」、「シャープに」等）を付与して、利用者にわかりやすい名称で表示することができる。
【００３７】
また、請求項４に係る発明の印刷データ編集装置では、請求項３に記載の発明の効果に加えて、名称付与手段は集合修飾情報を識別するための名称を付与することができる。したがって、集合修飾情報から得られる修飾に相応しい名称を付けることや、既存の名称を当該修飾に相応しい名称に変更することができる。
【００３８】
また、請求項５に係る発明の印刷データ編集装置では、請求項３に記載の発明の効果に加えて、集合修飾情報指定手段は、名称により集合修飾情報を指定することができる。したがって、名称にその集合修飾情報の分類をイメージさせる名称が付与されていれば、修飾情報を選択する際の指針となり、例えば番号や記号で管理されているよりも利用者が集合修飾情報を指定しやすくなる。
【００３９】
また、請求項６に係る発明の印刷データ編集装置では、請求項１乃至請求項５のいずれかに記載の発明の効果に加えて、レベル指定手段は、レベルを示す値又は文字を入力すること、レベルを示す値又は文字を選択すること、若しくは、スライダーによりレベルを選択することによりレベルを指定することができる。したがって、簡単にレベル指定ができる。
【００４０】
また、請求項７に係る発明の印刷データ編集装置では、請求項１乃至請求項６のいずれかに記載の発明の効果に加えて、印刷イメージ表示手段は、修飾情報の各修飾項目の修飾内容に従って修飾されたオブジェクトの印刷イメージを表示し、印刷イメージ表示制御手段は、集合修飾情報指定手段により指定された集合修飾情報に含まれている修飾情報の中から、修飾設定手段で修飾する修飾情報のレベルをレベル指定手段で指定する際に、指定された集合修飾情報に含まれている修飾情報の全てのレベル又は少なくとも１つのレベルの修飾情報の修飾内容に従って修飾されたオブジェクトの印刷イメージを印刷イメージ表示手段に表示させることができる。したがって、利用者は修飾後のオブジェクトのイメージを見ながらレベルを指定できる。
【００４１】
また、請求項８に係る発明の印刷データ編集装置では、請求項７に記載の発明の効果に加えて、印刷イメージ表示制御手段は、複数の印刷イメージをレベルの順序に従って印刷イメージ表示手段に表示させることができる。したがって、利用者は印刷イメージを見ながらレベルを指定することができるので、レベル選択をし易い。
【００４２】
また、請求項９に係る発明の印刷データ編集装置では、請求項７又は請求項８に記載の発明の効果に加えて、印刷イメージ表示制御手段は、印刷イメージ表示手段において一行に表示可能な印刷イメージの数より多くの印刷イメージを表示する場合には、印刷イメージを折り返して複数行に表示し、折り返しを行った際に一画面に表示可能な行数より多くの印刷イメージを表示する場合には、スクロール表示を行うことができる。したがって、画面のサイズに係わらず、複数の印刷イメージを表示することができる。
【００４３】
また、請求項１０に係る発明の印刷データ編集装置では、請求項７乃至請求項９のいずれかに記載の発明の効果に加えて、表示数設定手段は、印刷イメージ表示手段に表示させる印刷イメージの数を設定することができる。したがって、比較しながらレベル指定したい場合には、表示数を多くして多数の印刷イメージを表示したり、表示数を少なくして１つの印刷イメージを大きく表示したり、利用者の所望する表示数で印刷イメージを表示することができる。
【００４４】
また、請求項１１に係る発明の印刷データ編集装置では、請求項１乃至請求項１０のいずれかに記載の発明の効果に加えて、集合修飾情報追加手段は、集合修飾情報記憶手段に集合修飾情報を追加し、集合修飾情報削除手段は、集合修飾情報記憶手段に記憶されている集合修飾情報を削除し、集合修飾情報編集手段は、集合修飾情報記憶手段に記憶されている集合修飾情報の内容を編集することができる。また、集合修飾情報編集手段の修飾情報追加手段は、集合修飾情報におけるレベルを指定して修飾情報を追加し、修飾内容指定手段は、集合修飾情報に含まれる修飾情報の各修飾項目の修飾内容を指定し、レベル変更手段は、集合修飾情報に含まれる修飾情報のレベルを変更し、修飾情報削除手段は、集合修飾情報に含まれる修飾情報を削除することができる。したがって、修飾情報の修飾内容やレベルを変更したり、集合修飾情報に新しいレベルを追加変更したり、新しい集合修飾情報を追加したり、集合修飾情報を削除したりして、集合修飾情報を編集することができる。
【００４５】
また、請求項１２に係る発明の印刷データ編集装置では、請求項１１に記載の発明の効果に加えて、サンプル印刷イメージ表示手段は、修飾内容指定手段において指定された修飾内容に従って修飾されたオブジェクトの印刷イメージを表示することができる。したがって、利用者は、作成中の原稿の各オブジェクトが、指定された修飾情報で修飾された結果を印刷イメージとして見ることができる。
【００４６】
請求項１３に係る発明の印刷データ編集装置では、請求項１乃至請求項１２のいずれかに記載の発明の効果に加えて、集合修飾情報出力手段は、集合修飾情報記憶手段に記憶されている集合修飾情報を、修飾情報記憶手段以外の印刷データ編集装置の記憶手段、又は、印刷データ編集装置の外部の記憶手段に記憶させることができる。したがって、集合修飾情報を作成中の原稿から独立させて記憶させることができるので、他の原稿や他の印刷データ編集装置に集合修飾情報に引き渡すこと（所謂、エクスポート）が可能となる。
【００４７】
また、請求項１４に係る発明の印刷データ編集装置では、請求項１乃至請求項１３のいずれかに記載の発明の効果に加えて、集合修飾情報取込手段は、印刷データ編集装置の修飾情報記憶手段以外の記憶手段、又は、印刷データ編集装置の外部の記憶手段に記憶されている集合修飾情報を、集合修飾情報記憶手段に記憶させることができる。したがって、他の原稿で作成された集合修飾情報を取り込むこと（所謂、インポート）ができる。
【００４８】
また、請求項１５に係る発明の印刷データ編集プログラムは、印刷装置で印刷を行うための印刷データを編集するコンピュータを、印刷装置で印刷される印刷対象である１以上のオブジェクトに対して行われる複数の修飾項目に対する修飾内容である修飾情報について、少なくとも１つ以上の修飾情報から成り、かつ、相対的なレベルを割り当てて集合修飾情報として記憶する集合修飾情報記憶手段と、集合修飾情報記憶手段に記憶されている修飾情報の集合修飾情報におけるレベルを指定するレベル指定手段と、レベル指定手段により指定されたレベルの修飾情報の各修飾項目の修飾内容に基づいて、修飾項目の修飾を行う修飾設定手段ととして機能させることができる。
【００４９】
また、請求項１６に係る発明の印刷データ編集プログラムは、請求項１５に記載の発明の効果に加えて、コンピュータを、集合修飾情報記憶手段には複数の集合修飾情報が記憶されており、集合修飾情報を指定する集合修飾情報指定手段として機能させ、集合修飾情報指定手段により指定された集合修飾情報に含まれている修飾情報のレベルを指定するレベル指定手段として機能させることができる。
【００５０】
また、請求項１７に係る発明の印刷データ編集プログラムは、請求項１５又は請求項１６に記載の発明の効果に加えて、コンピュータを、集合修飾情報には集合修飾情報を識別するための名称が付与されて記憶される集合修飾情報記憶手段として機能させることができる。
【００５１】
また、請求項１８に係る発明の印刷データ編集プログラムでは、請求項１７に記載の発明の効果に加えて、コンピュータを前記集合修飾情報を識別するための名称を付与する名称付与手段として機能させることができる。
【００５２】
また、請求項１９に係る発明の印刷データ編集プログラムは、請求項１７に記載の発明の効果に加えて、コンピュータを、名称により集合修飾情報を指定する集合修飾情報指定手段として機能させることができる。
【００５３】
また、請求項２０に係る発明の印刷データ編集プログラムは、請求項１５乃至請求項１９のいずれかに記載の発明の効果に加えて、コンピュータを、レベルを示す値又は文字を入力すること、レベルを示す値又は文字を選択すること、若しくは、スライダーによりレベルを選択することによりレベルを指定するレベル指定手段として機能させることができる。
【００５４】
また、請求項２１に係る発明の印刷データ編集プログラムは、請求項１５乃至請求項２０のいずれかに記載の発明の効果に加えて、コンピュータを、修飾情報の各修飾項目の修飾内容に従って修飾されたオブジェクトの印刷イメージを表示する印刷イメージ表示手段と、集合修飾情報指定手段により指定された集合修飾情報に含まれている修飾情報の中から、修飾設定手段で修飾する修飾情報のレベルをレベル指定手段で指定する際に、指定された集合修飾情報に含まれている修飾情報の全てのレベル又は少なくとも１つのレベルの修飾情報の修飾内容に従って修飾されたオブジェクトの印刷イメージを印刷イメージ表示手段に表示させる印刷イメージ表示制御手段ととして機能させることができる。
【００５５】
また、請求項２２に係る発明の印刷データ編集プログラムは、請求項２１に記載の発明の効果に加えて、コンピュータを、複数の印刷イメージをレベルの順序に従って印刷イメージ表示手段に表示させる印刷イメージ表示制御手段として機能させることができる。
【００５６】
また、請求項２３に係る発明の印刷データ編集プログラムは、請求項２１又は請求項２２に記載の発明の効果に加えて、コンピュータを、印刷イメージ表示手段において一行に表示可能な印刷イメージの数より多くの印刷イメージを表示する場合には、印刷イメージを折り返して複数行に表示し、折り返しを行った際に一画面に表示可能な行数より多くの印刷イメージを表示する場合には、スクロール表示を行う印刷イメージ表示制御手段として機能させることができる。
【００５７】
また、請求項２４に係る発明の印刷データ編集プログラムは、請求項２１乃至請求項２３のいずれかに記載の発明の効果に加えて、コンピュータを、印刷イメージ表示手段に表示させる印刷イメージの数を設定する表示数設定手段として機能させることができる。
【００５８】
また、請求項２５に係る発明の印刷データ編集プログラムは、請求項１５乃至請求項２４のいずれかに記載の発明の効果に加えて、コンピュータを、集合修飾情報記憶手段に集合修飾情報を追加する集合修飾情報追加手段と、集合修飾情報記憶手段に記憶されている集合修飾情報を削除する集合修飾情報削除手段と、集合修飾情報記憶手段に記憶されている集合修飾情報の内容を編集する集合修飾情報編集手段ととして機能させ、集合修飾情報におけるレベルを指定して、修飾情報を追加する修飾情報追加手段と、集合修飾情報に含まれる修飾情報の各修飾項目の修飾内容を指定する修飾内容指定手段と、集合修飾情報に含まれる修飾情報のレベルを変更するレベル変更手段と、集合修飾情報に含まれる修飾情報を削除する修飾情報削除手段ととして機能する集合修飾情報編集手段として機能させることができる。
【００５９】
また、請求項２６に係る発明の印刷データ編集プログラムは、請求項２５に記載の発明の効果に加えて、コンピュータを、修飾内容指定手段において指定された修飾内容に従って修飾されたオブジェクトの印刷イメージを表示するサンプル印刷イメージ表示手段として機能させることができる。
【００６０】
また、請求項２７に係る発明の印刷データ編集プログラムは、請求項１５乃至請求項２６のいずれかに記載の発明の効果に加えて、当該コンピュータを、集合修飾情報記憶手段に記憶されている集合修飾情報を、修飾情報記憶手段以外のコンピュータの記憶手段、又は、コンピュータの外部の記憶手段に記憶させる集合修飾情報出力手段として機能させることができる。
【００６１】
また、請求項２８に係る発明の印刷データ編集プログラムは、請求項１５乃至請求項２７のいずれかに記載の発明の効果に加えて、コンピュータを、当該コンピュータの修飾情報記憶手段以外の記憶手段、又は、コンピュータの外部の記憶手段に記憶されている集合修飾情報を、集合修飾情報記憶手段に記憶させる集合修飾情報取込手段として機能させることができる。
【発明を実施するための最良の形態】
【００６２】
以下、本発明の実施の形態を図面を参照して説明する。本発明に係る「印刷データ編集装置」として、印刷装置１に接続したパーソナルコンピュータ５００を例に挙げて説明する。このパーソナルコンピュータ５００には本発明に係る「印刷データ編集プログラム」が搭載されている。まず、印刷装置１及びパーソナルコンピュータ５００について図１及び図２を参照して説明する。図１は、印刷装置１及びパーソナルコンピュータ５００の概略を示す外観斜視図であり、図２は、パーソナルコンピュータ５００の電気的構成を示すブロック図である。
【００６３】
図１に示すように、パーソナルコンピュータ５００と印刷装置１とは、例えばＵＳＢ等の規格に基づくＵＳＢケーブル１０により接続されており、ＵＳＢケーブル１０を介してデータの授受を行っている。パーソナルコンピュータ５００は、周知のパーソナルコンピュータであり、図１に示すように、ＣＰＵ５１０等（図２参照）を備えた本体５０１と、モニタ５７１と、キーボード５８１、マウス５８２とを備えており、モニタ５７１、キーボード５８１、マウス５８２はそれぞれ本体５０１に接続ケーブルによって接続されている。そして、パーソナルコンピュータ５００は、本発明に係る印刷データ編集プログラムが組み込まれたソフトウェアで作成された画像データに基づいて印刷データを作成し、作成された印刷データを印刷装置１へ送信する。
【００６４】
また、図１に示すように、印刷装置１は略直方体形状の筐体２でケーシングされており、その前面（図１における右手前方向の面）にはテープ６００を排出するための排出口３が設けられている。また、筐体２の左側面の内部にはテープカセット収納部４が設けられており、筐体２の左側面に設けられたカバー５を開放してテープカセットを着脱可能に装着することができる。このテープカセット収納部４には、複数の発熱素子を有するサーマルヘッドとそのサーマルヘッドに当接されるプラテンローラとの間にテープ６００を走行させてそのテープ６００に印字する印刷機構が設けられており、装着されたテープカセットのテープ６００は、印刷機構で印刷され、印刷機構のテープカッタにより切断されて、排出口３から排出される。
【００６５】
次に、図２を参照して、パーソナルコンピュータ５００の電気的構成について説明する。図２に示すように、パーソナルコンピュータ５００には、パーソナルコンピュータ５００の制御を司るＣＰＵ５１０が設けられている。このＣＰＵ５１０には、バス５９０を介し、ＣＰＵ５１０が実行するＢＩＯＳ等のプログラムを記憶したＲＯＭ５２０と、データを一時的に記憶するＲＡＭ５３０と、データの記憶媒体であるＣＤ−ＲＯＭ５４１を挿入し、データの読み込みを行うＣＤ−ＲＯＭドライブ５４０と、データの記憶装置であるＨＤＤ５５０とが接続されている。ＨＤＤ５５０には、印刷データ編集プログラムを始めとするパーソナルコンピュータ５００で実行される各種のプログラムを記憶するプログラム記憶エリア、プログラムの実行に必要な設定や初期値、データ等の情報を記憶したプログラム関係情報記憶エリア、印刷装置１で使用されるテープに関する情報が記憶されているテープ情報記憶エリア等が設けられている。
【００６６】
さらに、ＣＰＵ５１０には、バス５９０を介して、印刷装置１を含めた外部機器との通信を行うためのＵＳＢインタフェース５６０と、利用者に操作画面を表示するためのモニタ５７１の画面表示処理を行う表示制御部５７０と、利用者が操作の入力を行うキーボード５８１やマウス５８２が接続され、それらの入力の検知を行う入力検知部５８０とが、接続されている。なお、パーソナルコンピュータ５００には、図示外のフロッピー（登録商標）ディスクドライブ、音声等の入出力部、各種インタフェースなどが設けられていてもよい。
【００６７】
なお、ＣＤ−ＲＯＭ５４１には、印刷データ編集プログラムが組み込まれたソフトウェアや、このプログラムの実行時に使用される設定やデータ等が記憶されており、導入時には、ＣＤ−ＲＯＭ５４１からＨＤＤ５５０に設けられたプログラム記憶エリアやプログラム関係情報記憶エリア５５２に記憶されるようになっている。尚、パーソナルコンピュータ５００の印刷データ編集プログラム及びその使用データ等の取得方法はＣＤ−ＲＯＭ５４１によるものに限らず、フロッピー（登録商標）ディスクやＭＯといった他の記録媒体であっても限らず、また、パーソナルコンピュータ５００をネットワークに接続させ、ネットワーク上の他の端末から取得してもよい。
【００６８】
ここで、図３を参照して、パーソナルコンピュータ５００のＲＡＭ５３０の記憶エリアについて説明する。図３は、パーソナルコンピュータ５００のＲＡＭ５３０の記憶エリアを示す模式図である。ＲＡＭ５３０には、オブジェクトをまとめて修飾するための修飾リストが記憶される修飾リスト情報記憶エリア２３１（図４乃至図６参照）、修飾リストを用いてオブジェクトに修飾する際に使用される修飾処理情報記憶エリア２３２（図１６参照）、修飾リストを編集する際に使用される修飾リスト編集情報記憶エリア２３３（図１７参照）、エディタ１００の作業領域に表示されているオブジェクトの情報が記憶されるオブジェクト情報記憶エリア２３４（図８、図９参照）、印刷データを記憶するための印刷データ記憶エリア２３５等が設けられている。さらに、ＲＡＭ５３０には図示外の各種記憶エリアが設けられている。
【００６９】
次に、図４を参照して、パーソナルコンピュータ５００で起動するエディタ１００について説明する。図４は、印刷装置１に印刷する文字等を入力するためのエディタ１００のイメージ図であり、パーソナルコンピュータ５００のモニタ５７１に表示され、キーボード５８１やマウス５８２の操作によりデータ入力や指示が行われる。
【００７０】
図４に示すように、エディタ１００の上部には、操作指示を行うためのメニューバー１１０及びツールバー１２０が設けられており、エディタ１００の下半分には、印刷装置１で印刷する文字等を編集するための作業領域１５０が設けられており、印刷イメージ１４０が表示されている。また、作業領域１５０内の矢印は、マウスカーソル１５５である。そして、作業領域１５０の左には、作業領域１５０で入力するツールの種類（文字、線、四角、曲線等）を指定するためのツールボックス１３２が設けられている。そして、作業領域１５０の上部には、作業領域１５０への文字入力の詳細設定を行うテキストプロパティ用ツールボックス１３１、ラベルテープやシールテープの選択や設定を行うページプロパティ用ツールボックス１３３、各種ツールボックスの表示／非表示を指示するボタン群１３４が設けられている。このようなエディタ１００をキーボード５８１やマウス５８２で操作することにより、印刷装置１で印刷する情報を編集することができる。
【００７１】
本発明の印刷データ編集プログラムでは、エディタ１００で入力される文字や図形に対してまとめて修飾を行うことができる。この修飾に関する情報は、修飾リストとしてＲＡＭ５３０の修飾リスト情報記憶エリア２３１に記憶されており、エディタ１００において、「修飾」の指示が行われると修飾画面２００（図１０参照）がモニタ５７１に表示され、修飾リストと修飾レベルを選択することにより、作業領域１５０に表示されている各オブジェクトを修飾することができる。
【００７２】
ここで、図５乃至図７を参照して、修飾リスト情報記憶エリア２３１について説明する。図５は、修飾リスト情報記憶エリア２３１の概略構成を示す模式図であり、図６は、修飾リスト情報記憶エリア２３１の修飾内容２３１１の詳細な構成を示す模式図であり、図７は、修飾リスト情報記憶エリア２３１の修飾内容２３１２の詳細な構成を示す模式図である。
【００７３】
図５に示すように、修飾リスト情報記憶エリア２３１には修飾リスト名称欄に対応して修飾内容欄が設けられている。修飾リストには名称が与えられており、図５に示す例では、「派手に」、「きれいに」、「シャープに」、「淡く」等のイメージを表す名称が付けられている。そして、各修飾リストの名称に対応して修飾内容が定義されている。図６及び図７に示すように、修飾内容は「テキスト」、「イメージ」、「全体」等のオブジェクトの種類毎に、各オブジェクトに対して可能な修飾項目欄が設けられている。「テキスト」では「ボールド」，「イタリック」，「下線」，「影付け１」，「影付け２」，「縞乗せ」，「縁取り」が例示されており、「イメージ」では「モノクロ化」，「反転」，「セピア」，「囲み線」が例示されており，「全体」では「囲み線」が例示されている。尚、「全体」は全てのオブジェクトを含む領域を示している。また、修飾リストにはレベル設定が可能であり、修飾リスト名称「派手に」という修飾リストにおいて、相対的に複数の修飾情報を有することができる。尚、本実施の形態ではレベルを示す数値が大きいものを高レベル、小さいものを低レベルとする。
【００７４】
図６に示す「派手に」の修飾内容２３１１の例では、「１」〜「９」までの９つのレベルが設定されており、修飾レベルの数値が上がるにつれて「派手さ」が増すように各修飾項目の設定がなされている。修飾レベル「１」では、「テキスト」の「ボールド」がＯＮとなっており、修飾レベル「２」では、「テキスト」の「ボールド」と「イタリック」がＯＮとなっており、修飾レベル「３」では、「テキスト」の「ボールド」と「イタリック」、「全体」の「囲み線」がＯＮとなっており、修飾レベル「４」では、「テキスト」の「ボールド」と「下線」がＯＮとなっており、修飾レベル「５」では、「テキスト」の「ボールド」，「イタリック」，「下線」がＯＮとなっており、修飾レベル「６」では、「テキスト」の「ボールド」，「イタリック」，「下線」、「全体」の「囲み線」がＯＮとなっており、修飾レベル「７」では、「テキスト」の「ボールド」と「縁取り」がＯＮとなっており、修飾レベル「８」では、「テキスト」の「ボールド」，「イタリック」，「縁取り」がＯＮとなっており、修飾レベル「９」では、「テキスト」の「ボールド」，「イタリック」，「縁取り」、「全体」の「囲み線」がＯＮとなっている。
【００７５】
また、図７に示す、「きれい」の修飾内容２３１２の例では、「１」〜「９」までの９つのレベルが設定されており、修飾レベルの数値が上がるにつれて「きれいさ」が増すように各修飾項目の設定がなされている。修飾レベル「１」では、「テキスト」の「イタリック」がＯＮとなっており、修飾レベル「２」では、「テキスト」の「ボールド」，「イタリック」がＯＮとなっており、修飾レベル「３」では、「テキスト」の「ボールド」，「イタリック」、「全体」の「囲み線」がＯＮとなっており、修飾レベル「４」では、「テキスト」の「イタリック」，「下線」がＯＮとなっており、修飾レベル「５」では、「テキスト」の「ボールド」，「イタリック」，「下線」がＯＮとなっており、修飾レベル「６」では、「テキスト」の「ボールド」，「イタリック」，「下線」、「全体」の「囲み線」がＯＮとなっており、修飾レベル「７」では、「テキスト」の「イタリック」，「影付け１」がＯＮとなっており、修飾レベル「８」では、「テキスト」の「ボールド」，「イタリック」，「影付け１」がＯＮとなっており、修飾レベル「９」では、「テキスト」の「ボールド」，「イタリック」，「影付け１」、「全体」の「囲み線」がＯＮとなっている。
【００７６】
次に、図８及び図９を参照して、オブジェクト情報記憶エリア２３４について説明する。エディタ１００の作業領域１５０に作成されたオブジェクトは、このオブジェクト情報記憶エリア２３４にその情報が記憶される。図８は、図４に示した印刷イメージ１４０の各オブジェクトの情報を示したオブジェクト情報記憶エリア２３４の構成を示す模式図であり、図９は、修飾後のオブジェクト情報記憶エリア２３４の構成を示す模式図である。
【００７７】
図８及び図９に示すように、オブジェクト情報記憶エリア２３４には、作業領域１５０に表示されている各オブジェクト及び全てのオブジェクトを含む領域（全体）についての情報が記憶されている。全体に関する情報を示す全体情報欄には、サイズ欄、位置欄、修飾情報欄が設けられている。そして、サイズ欄には全体のサイズがセットされ、位置欄には印刷可能領域の左上からの距離がセットされ、修飾情報欄には全体に対して設定されている修飾内容がセットされる。また、オブジェクトに関する情報は、オブジェクト情報１欄、オブジェクト情報２欄、オブジェクト情報３欄に記憶され、データ欄、サイズ欄、位置欄、修飾情報欄が設けられている。このオブジェクト情報欄は作業領域１５０に作られているオブジェクトの数だけ存在する。データ欄には、そのオブジェクトがテキストオブジェクトである場合には、テキストデータの内容がセットされ、イメージオブジェクトである場合には、イメージオブジェクトの画像情報がセットされる。また、サイズ欄にはオブジェクトのサイズがセットされ、位置欄には印刷可能領域の左上からの距離がセットされ、修飾情報欄にはオブジェクトに対して設定されている修飾内容がセットされる。
【００７８】
図８に示す例では、全体のサイズは縦３８、横７０であり、位置は縦方向に２、横方向に３であり、修飾情報は設定されていない。オブジェクト情報１のデータは画像データなのでここでは省略されているが、サイズは縦１５、横１６であり、位置は縦方向に１３、横方向に４であり、修飾情報は設定されていない。オブジェクト情報２のデータは「ＡＢＣＤ」であり、サイズは縦１２、横４８であり、位置は縦方向に６、横方向に２４であり、修飾情報は設定されていない。オブジェクト情報３のデータは「１２３４」であり、サイズは縦８、横２９であり、位置は縦方向に３０、横方向に２３であり、修飾情報は設定されていない。
【００７９】
また、図９に示す例では、各オブジェクト情報のデータ欄、全体情報及び各オブジェクト情報のサイズ欄及び位置欄は、図８に示す例と同じであるが、全体情報の修飾情報欄には「囲み線」が設定されており、テキストオブジェクトであるオブジェクト情報２及びオブジェクト情報３の修飾情報欄には、「ボールド」，「イタリック」，「下線」が設定されている。尚、イメージオブジェクトであるオブジェクト情報１の修飾情報欄には何も設定されていないままである。
【００８０】
次に、修飾リストを用いて修飾を行う際に表示される修飾画面２００について、図１０乃至図１３を参照して説明する。この修飾画面２００は、エディタ１００において「修飾」の指示が行われると表示される。「修飾」の指示は、例えば、ツールバー１１０で「書式」を選択することにより表示されるメニューリストから「修飾」を選択することにより行われる。図１０は、修飾リストが選択されていない状態の修飾画面２００のイメージ図であり、図１１は、修飾リスト「派手に」、修飾レベル「６」が選択された修飾画面２００のイメージ図であり、図１２は、全リストが表示されている修飾画面２００のイメージ図であり、図１３は、全リストがスクロールバー２０８と共に表示されている修飾画面２００のイメージ図である。
【００８１】
図１０乃至図１３に示すように、修飾画面２００の左２／３にはプレビュー欄２０１が設けられており、その右上部には修飾リスト欄２０２が設けられ、その下には修飾リスト編集ボタン２０３が設けられ、その下には修飾レベルスライダ２０４が設けられ、その下には全レベル表示チェックボックス２０５が設けられ、その下には縦リストボックス２０６及び横リストボックス２０７が設けられ、その下にはＯＫボタン及びキャンセルボタンが設けられている。修飾リスト欄２０２では修飾リストを選択することができ、修飾レベルスライダ２０４では修飾レベルを選択することができる。また、全レベル表示チェックボックス２０５では、プレビュー欄２０１に全レベルの修飾情報により修飾された印刷イメージを表示するか否かを選択できる。図１０及び図１１に示すように、全レベル表示チェックボックス２０５がチェックされていなければ、プレビュー欄２０１には、修飾リスト欄２０２及び修飾レベルスライダ２０４において選択された修飾情報により修飾された修飾イメージ２１０，２１１が表示される（選択修飾レベル表示）。図１１に示す例では、修飾リスト「派手に」の修飾レベル「６」が選択されている。尚、図１０に示すように、修飾リスト「（なし）」が選択されている場合には、何も修飾されていないオブジェクトが表示される。
【００８２】
また、全レベル表示チェックボックス２０５がチェックされていれば、図１２及び図１３に示すように、全てのレベルの修飾イメージがレベル順に、プレビュー欄２０１の横方向に横リストボックス２０７で選択された数を並べ、縦リストボックス２０６で選択された数の行数表示される（全レベル表示）。尚、この縦リストボックス２０６及び横リストボックス２０７は全レベル表示チェックボックス２０５がチェックされている場合にのみ操作可能となるように制御されている。図１２に示す例では、縦方向に３つ、横方向に３つと指定されているので、全部で９つの修飾イメージ２２１〜２２９が表示されている。尚、縦リストボックス２０６及び横リストボックス２０７で指定された数が全レベル数よりも少ない場合には、図１３に示すように、プレビュー欄２０１の右側にスクロールバー２０８が表示されて、スクロールにより全レベルの修飾イメージが表示される。図１３に示す例では、修飾イメージ２２１〜２２４が表示されている。そして、プレビュー欄２０１の印刷イメージを選択することにより、修飾レベルを選択することができる。尚、図１２、図１３では、共に修飾イメージ２２１が選択されている。
【００８３】
そして、ＯＫボタンが選択されると、オブジェクト情報記憶エリア２３４に修飾情報が反映される。例えば、図１１に示すように修飾リスト「派手に」の修飾レベル「６」が選択されている場合には、図８に示したオブジェクト情報記憶エリア２３４は図９に示したオブジェクト情報記憶エリア２３４のように反映される。
【００８４】
また、修飾リストは編集することができる。ここで、修飾リストの編集について図１４及び図１５を参照して説明する。図１４は、修飾リストの詳細設定画面３００のイメージ図であり、図１５は、修飾リストの追加と削除画面４００のイメージ図である。
【００８５】
修飾リストの詳細設定画面３００は、修飾画面２００の修飾リスト編集ボタン２０３が選択されると表示される。また、エディタ１００において「修飾リスト編集」指示が行われた場合にも表示される。図１４に示すように、修飾リストの詳細設定画面３００には、編集修飾リストリストボックス３０１、修飾リスト追加削除ボタン３０２、修飾リストの詳細欄３０３、閉じるボタンが設けられており、修飾リストの詳細欄３０３には、設定オブジェクトリストボックス３０４、編集修飾レベル欄３０５、レベルの追加ボタン３０６、レベルの削除ボタン３０７、修飾内容欄３０８、編集プレビュー欄３０９が設けられている。
【００８６】
編集修飾リストリストボックス３０１では、編集する修飾リストを修飾リスト情報記憶エリア２３１に記憶されている修飾リストの中から選択することができ、修飾リスト追加削除ボタン３０２では修飾リストを追加したり削除したりすることができる。また、設定オブジェクトリストボックス３０４では詳細な修飾の設定を行うオブジェクトの種類を選択することができ、編集修飾レベル欄３０５では詳細な修飾の設定を行う修飾レベルを選択することができる。また、レベルの追加ボタン３０６では編集修飾レベル欄３０５で選択されているレベルの上に新しいレベルを追加することができ、レベルの削除ボタン３０７では選択されているレベルを削除することができる。尚、編集修飾レベル欄３０５では、表示されているレベルの１つ下の空欄も選択することができ、そこを選択してレベル追加ボタン３０６を選択すると、最高位のレベルに新しいレベルが追加される。また、修飾内容欄３０８では設定オブジェクトリストボックス３０４で選択されているオブジェクトに対して行うことのできる修飾項目が列記され、それぞれにチェックボックスが表示されている。図１４に示す例では、「テキストオブジェクト」が選択されており、「Ｂｏｌｄ」，「Ｉｔａｌｉｃ」，「下線」，「影付け１」，「影付け２」，「縞のせ」等が修飾項目として列記されている。尚、修飾項目の内容によっては、選択肢から選択させるリストボックスや数値等を入力するテキストボックスなどが設けられている。そして、編集プレビュー欄３０９には、修飾内容欄３０８で指定された修飾項目の修飾がなされたサンプルデータの修飾イメージが表示される。
【００８７】
図１４に示す例では、編集修飾リストとして「派手に」が選択され、設定オブジェクトとして「テキストオブジェクト」が選択され、編集修飾レベルは「Ｌｅｖｅｌ３」が選択され、修飾内容は「Ｂｏｌｄ」と「Ｉｔａｌｉｃ」にチェックされている。そして、編集プレビュー欄３０９には、サンプルデータ「ＡａＢｂＣｃＤｄ」が太字にされて、イタリック体にされて表示されている。
【００８８】
また、修飾リスト追加削除ボタン３０２が選択されると図１５に示すような修飾リストの追加と削除画面４００が表示される。この修飾リストの追加と削除画面４００には、修飾リスト一覧欄４０１、新規作成ボタン４０２、名称の変更ボタン４０３、削除ボタン４０４、インポートボタン４０５、エクスポートボタン４０６が設けられている。修飾リスト一覧欄４０１には、修飾リスト情報記憶エリア２３１に記憶されているすべての修飾リストが表示され、名称の変更、削除、インポートする修飾リストを選択することができる。新規作成ボタン４０２を選択すると、新しい修飾リストを作成することができ、名称の変更ボタン４０３を選択すると、修飾リスト一覧欄４０１で選択されている修飾リストの名称を変更することができ、削除ボタン４０４を選択すると、修飾リスト一覧欄４０１で選択されている修飾リストを削除することができる。また、インポートボタン４０５を選択すると、外部から修飾リストを取り込むことができ、エクスポートボタン４０６を選択すると、修飾リストを外部で取込可能な形で出力することができる。
【００８９】
ここで、修飾処理及び修飾リストの編集において使用される情報について、図１６及び図１７を参照して説明する。図１６は、ＲＡＭ２３に設けられている修飾処理情報記憶エリア２３２の構成を示す模式図であり、図１７は、ＲＡＭ２３に設けられている修飾リスト編集情報記憶エリア２３３の構成を示す模式図である。
【００９０】
図１６に示すように、修飾処理情報記憶エリア２３２には、選択修飾リスト、リスト数、全レベル表示フラグ、選択レベル、表示数情報（縦）、表示数情報（横）、プレビュー配置位置情報、修飾プレビュー用データ等が記憶される。選択修飾リストには、修飾画面２００の修飾リスト欄２０２で選択されている修飾リストの名称が記憶され、リスト数には選択修飾リストの全リスト数が記憶される。全レベル表示フラグは、全レベル表示チェックフラグの状態が記憶され、チェックされている場合（ＯＮ）には「１」、されていない場合（ＯＦＦ）には「０」が記憶される。また、選択レベルには修飾レベルスライダ２０４で選択されている修飾レベルを示す値が記憶され、表示数情報（縦）及び表示数情報（横）には、縦リストボックス２０６及び横リストボックス２０７で選択された表示数がそれぞれ記憶される。また、修飾プレビュー配置位置情報には、全レベルを表示する場合の各修飾イメージの配置位置（行数と左からの個数）が修飾イメージ毎に記憶され、修飾プレビュー用データには、各修飾イメージのイメージデータが修飾イメージ毎に記憶される。
【００９１】
図１６に示す例は、図１２に示す修飾画面２００の状態での修飾処理情報記憶エリア２３２の値であり、選択修飾リストは「派手に」、リスト数は「９」、全レベル表示フラグはＯＮを示す「１」、選択レベルは「１」、表示数情報（縦）は「３」、表示数情報（横）は「３」、修飾プレビュー配置位置情報はここでは省略されているが、９つの修飾イメージに対応して座標値が記憶されており、修飾プレビュー用データはここでは省略されているが、９つの修飾イメージに対応してイメージデータが記憶されている。
【００９２】
また、図１７に示すように、修飾リスト編集情報記憶エリア２３３には、編集選択修飾リスト、編集選択レベル、設定オブジェクト種類、編集プレビュー用データ、追加削除修飾リスト等が記憶される。編集選択修飾リストには、修飾リストの詳細設定画面３００の編集修飾リストリストボックス３０１で選択されている修飾リストの名称が記憶され、編集選択レベルには、編集修飾レベル欄３０５で選択されている修飾レベルが記憶され、設定オブジェクト種類には、設定オブジェクトリストボックス３０４で選択されているオブジェクトの種類が記憶され、編集プレビュー用データには、編集プレビュー欄３０９に表示されるサンプルデータの修飾イメージのイメージデータが記憶され、追加削除修飾リストには、修飾リストの追加と削除画面４００の修飾リスト一覧欄４０１で選択された修飾リストの名称が記憶される。
【００９３】
次に、図１８乃至図２６のフローチャートを参照して、修飾リストを用いて修飾を行う修飾処理及び修飾リストの編集処理について説明する。図１８は、修飾処理のフローチャートであり、図１９は、修飾処理の中で実施される表示更新処理のフローチャートであり、図２０は、修飾処理の中で実施される表示数変更処理のフローチャートであり、図２１は、修飾処理の中で実施される修飾リスト編集処理のフローチャートであり、図２２は、修飾リスト編集処理の中で実施されるプレビュー更新処理のフローチャートであり、図２３は、修飾リスト編集処理の中で実施されるレベル追加処理のフローチャートであり、図２４は、修飾リスト編集処理の中で実施される修飾リスト追加削除処理のフローチャートであり、図２５は、修飾リスト追加削除処理の中で実施される新規リスト作成処理のフローチャートであり、図２６は、修飾リスト追加削除処理の中で実施される名称変更処理のフローチャートであり、図２７は、修飾リスト追加削除処理の中で実施されるインポート処理のフローチャートであり、図２８は、修飾リスト追加削除処理の中で実施されエクスポート処理のフローチャートである。
【００９４】
エディタ１００において「修飾」の指示が行われると図１８に示す修飾処理が開始される。まず、修飾画面２００が表示される（Ｓ１）。そして、修飾リスト欄２０２が操作されて修飾リストが変更されたら（Ｓ２：ＹＥＳ）、修飾処理情報記憶エリア２３２の選択修飾リストの値が変更され（Ｓ３）、リスト数に修飾リスト情報記憶エリア２３１に記憶されている修飾レベルの数がセットされて、選択レベルが「１」とされ（Ｓ４）、修飾画面２００の修飾レベルスライダ２０４の目盛りがリスト数に合わせて変更され、レベル１が選択される（Ｓ５）。そして、表示更新処理が行われてプレビュー欄２０１の修飾イメージが、選択された修飾リストのレベル１の修飾イメージに更新される（Ｓ６、図１９参照）。そして、Ｓ２へ戻る。尚、表示更新処理については、図１９を参照して後に詳述する。
【００９５】
また、修飾レベルスライダ２０４が操作されて、修飾レベルが変更されたら（Ｓ７：ＹＥＳ）、全レベル表示チェックボックス２０５がＯＮであるか否かの判断が行われ（Ｓ８）、全レベル表示フラグが「ＯＮ」であれば（Ｓ８：ＹＥＳ）、全レベル表示フラグを「ＯＦＦ」として全レベル表示から選択修飾レベル表示へ切り替えられる（Ｓ９）。全レベル表示フラグが「ＯＮ」でなければ（Ｓ８：ＮＯ）、既に選択修飾レベル表示となっているのでフラグの操作は行われない。そして、修飾レベルスライダ２０４で指定されているレベルが修飾処理情報記憶エリア２３２の選択レベルにセットされる（Ｓ１０）。そして、表示更新処理が行われてプレビュー欄２０１の修飾イメージが、選択された修飾レベルの修飾イメージに更新される（Ｓ１１、図１９参照）。そして、Ｓ２へ戻る。
【００９６】
また、全レベル表示チェックボックス２０５が操作されて、全レベル表示と選択修飾レベル表示の切り替えが行われたら（Ｓ１２：ＹＥＳ）、全レベル表示フラグの切り替えが行われる（Ｓ１３）。具体的には、全レベル表示フラグが「ＯＮ」であれば「ＯＦＦ」とされ（Ｓ１３）、全レベル表示フラグが「ＯＦＦ」であれば、「ＯＮ」とされる（Ｓ１３）。そして、表示更新処理が行われてプレビュー欄２０１の修飾イメージが更新される（Ｓ１４、図１９参照）。そして、Ｓ２へ戻る。
【００９７】
また、縦リストボックス２０６又は横リストボックス２０７が操作されて、表示数が変更された場合には（Ｓ１５：ＹＥＳ）、図２０に示す表示数変更処理が行われる（Ｓ１６）。図２０に示すように、まず、修飾処理情報記憶エリア２３２の表示数情報（縦）及び表示数情報（横）に縦リストボックス２０６又は横リストボックス２０７で指定されている値がセットされる（Ｓ６１）。次いで、レベル数が表示数情報（横）よりも大きいか否かの判断が行われる（Ｓ６２）。レベル数が表示数情報（横）よりも大きくなければ（Ｓ６２：ＮＯ）、修飾イメージはプレビュー欄２０１に横一列に並べて配置できるので、レベルの低い順に１行目の左から順に配置されるように、修飾プレビュー配置位置情報にセットされる（Ｓ６３）。そして、表示更新処理が行われてプレビュー欄２０１の修飾イメージが更新され（Ｓ６７、図１９参照）、表示数変更処理が終了して、修飾処理のＳ２へ戻る。
【００９８】
また、レベル数が表示数情報（横）よりも大きければ（Ｓ６２：ＹＥＳ）、修飾イメージを折り返して表示する必要があるので、折り返した配置位置が算出されて、修飾プレビュー配置位置情報にセットされる（Ｓ６４）。具体的には、行数はレベル数を表示数情報（横）で割った商に「１」を足した値、左からの個数はその余り（ただし、余りが「０」の場合には表示数情報（横）の値）とされる。例えば、表示数情報（横）が「３」であり、レベルが「５」であれば、「５÷３＝１…２」なので、２列目の左から２番目に配置される。
【００９９】
次いで、レベル数が１画面表示数よりも大きいければ（Ｓ６５：ＹＥＳ）、プレビュー欄２０１にスクロールバー２０８を表示する指定が行われ（Ｓ６６）、表示更新処理が行われてプレビュー欄２０１の修飾イメージが更新され（Ｓ６７、図１９参照）、表示数変更処理を終了して、修飾処理のＳ２へ戻る。尚、１画面表示数は表示数情報（縦）の値と表示数情報（横）の値との積で求められる。尚、レベル数が１画面表示数よりも大きくなければ（Ｓ６５：ＮＯ）、スクロールバー２０８の表示指示は行われずに、表示更新処理が行われて、プレビュー欄２０１の修飾イメージが更新され（Ｓ６７、図１９参照）、表示数変更処理を終了して、修飾処理のＳ２へ戻る。
【０１００】
また、図１８の修飾処理において、修飾リスト編集ボタン２０３が選択されて修飾リストの編集の指示が行われた場合には（Ｓ１７：ＹＥＳ）、図２１に示す修飾リスト編集処理が行われ（Ｓ１８）、修飾処理のＳ２へ戻る。尚、修飾リスト編集処理については、図２１乃至図２８を参照して後に詳述する。
【０１０１】
そして、何れの指示も行われない場合には（Ｓ２：ＮＯ、Ｓ７：ＮＯ、Ｓ１２：ＮＯ、Ｓ１５：ＮＯ、Ｓ１７：ＮＯ、Ｓ１９：ＮＯ、Ｓ２０：ＮＯ）、Ｓ２へ戻り、キャンセルボタン又はＯＫボタンが選択されるまで（Ｓ１９：ＹＥＳ又はＳ２０：ＹＥＳ）、Ｓ２〜Ｓ２０の処理が繰り返される。尚、キャンセルボタンが選択されれば（Ｓ１９：ＹＥＳ）、修飾処理が終了し、修飾画面２００が閉じられる。また、ＯＫボタンが選択されれば（Ｓ２０：ＹＥＳ）、修飾処理情報記憶エリア２３２にセットされている選択修飾リスト、選択レベルの修飾情報が修飾リスト情報記憶エリア２３１から読み出され、オブジェクト情報記憶エリア２３４の各オブジェクト及び全体の修飾情報欄が更新される（Ｓ２１）。そして、オブジェクト情報記憶エリア２３４の更新に伴い、作業領域１５０の印刷イメージが更新される（Ｓ２２）と共に、修飾処理が終了して、修飾画面２００が閉じられる。
【０１０２】
次に、図１９のフローチャートを参照して、Ｓ６，Ｓ１１，Ｓ１４，Ｓ６７，後述のＳ８９の表示更新処理について説明する。まず、全レベル表示フラグが「ＯＮ」あるいは「ＯＦＦ」かに基づき、全レベル表示となっているか否かの判断が行われる（Ｓ５１）。全レベル表示フラグが「ＯＮ」であり、全レベル表示であれば（Ｓ５１：ＹＥＳ）、修飾処理情報記憶エリア２３２の選択修飾リストの全てのレベルについて、プレビュー欄２０１に表示される修飾イメージ用のイメージデータが作成され（Ｓ５４）、修飾プレビュー配置位置情報に記憶されている配置位置情報に基づいて、作成されたイメージデータの修飾イメージがプレビュー欄２０１への表示される（Ｓ５５）。そして、修飾処理のＳ２へ戻る。
【０１０３】
また、全レベル表示フラグが「ＯＦＦ」であり、全レベル表示でなければ（Ｓ５１：ＮＯ）、選択修飾レベル表示であるので、修飾処理情報記憶エリア２３２の選択修飾リストの選択レベルの修飾情報に従って各オブジェクトや全体が修飾されたイメージデータが作成され（Ｓ５２）、プレビュー欄２０１の中央へ作成されたイメージデータの修飾イメージが表示される（Ｓ５３）。そして、修飾処理のＳ２へ戻る。
【０１０４】
次に、図２１のフローチャートを参照して、修飾リスト編集処理について説明する。まず、修飾リストの詳細設定画面３００が表示される（Ｓ７１）。そして、編集修飾リストリストボックス３０１が操作されて編集修飾リストの変更が行われたら（Ｓ７２：ＹＥＳ）、指定された修飾リストに修飾リスト編集情報記憶エリア２３３の編集選択修飾リストが変更され（Ｓ７３）、編集プレビュー欄３０９の表示を更新するプレビュー更新処理が行われ（Ｓ８７、図２２参照）、Ｓ７２へ戻る。尚、このプレビュー更新処理については、図２２を参照して後に詳述する。
【０１０５】
また、設定オブジェクトリストボックス３０４が操作されて設定オブジェクト種類が変更されたら（Ｓ７４：ＹＥＳ）、指定されたオブジェクト種類に修飾リスト編集情報記憶エリア２３３の設定オブジェクト種類が変更され（Ｓ７５）、編集プレビュー欄３０９の表示を更新するプレビュー更新処理が行われ（Ｓ８７、図２２参照）、Ｓ７２へ戻る。
【０１０６】
また、編集修飾レベル欄３０５が操作されて編集修飾レベルの変更が行われたら（Ｓ７６：ＹＥＳ）、指定された修飾レベルに修飾リスト編集情報記憶エリア２３３の編集修飾レベルが変更され（Ｓ７７）、編集プレビュー欄３０９の表示を更新するプレビュー更新処理が行われ（Ｓ８７、図２２参照）、Ｓ７２へ戻る。
【０１０７】
また、レベルの追加ボタン３０６が選択されてレベルの追加が指示されたら（Ｓ７８：ＹＥＳ）、図２３に示すレベル追加処理が行われる（Ｓ７９）。図２３に示すように、まず、編集修飾レベル欄３０５において最高位の下の空欄が選択されているか否かの判断が行われる（Ｓ１１１）。空欄が選択されていれば（Ｓ１１１：ＹＥＳ）、さらに上位にレベルが追加されるので、修飾リスト情報記憶エリア２３１の編集選択修飾リストの修飾リストの最上位に新しいレベルのエリアが追加される（Ｓ１１５）。尚、この時、編集選択レベルは追加された最上位のレベルとなる。そして、そのレベルの修飾内容はすべて「ＯＦＦ」とされる（Ｓ１１６）。そして、図２１の修飾リスト編集処理へ戻り、編集プレビュー欄３０９の表示を更新するプレビュー更新処理が行われ（Ｓ８７、図２２参照）、Ｓ７２へ戻る。
【０１０８】
また、空欄が選択されていない場合には（Ｓ１１１：ＮＯ）、選択中のレベルよりも上位のレベルが「１」繰上げられる（Ｓ１１２）。つまり、最高位のレベルはさらに上位のレベルが１つ追加されてそのレベルとなり、他のレベルは１ずつ高レベルへシフトされる。そして、編集選択レベルが新しく追加されたレベルとなるので、全ての修飾内容が「ＯＦＦ」とされる（Ｓ１１３）。そして、修飾リスト編集処理へ戻り、編集プレビュー欄３０９の表示を更新するプレビュー更新処理が行われ（Ｓ８７、図２２参照）、Ｓ７２へ戻る。
【０１０９】
また、図２１の修飾リスト編集処理では、レベルの削除ボタン３０７が選択されてレベルの削除が指示されたら（Ｓ８０：ＹＥＳ）、編集選択レベルより上位のレベルが「１」繰り下げられる（Ｓ８１）。具体的には、修飾リスト情報記憶エリア２３１の編集選択レベルの修飾リストの値がクリアされ、編集選択レベルより上位のレベルが１ずつ低レベルへシフトされ、最高位のレベルが削除される。そして、編集プレビュー欄３０９の表示を更新するプレビュー更新処理が行われ（Ｓ８７、図２２参照）、Ｓ７２へ戻る。
【０１１０】
また、修飾内容欄３０８が操作されて修飾内容が変更されたら（Ｓ８３：ＹＥＳ）、修飾リスト情報記憶エリア２３１の編集選択修飾リストの編集選択レベルのその修飾項目の内容が、指定された内容に変更され（Ｓ８４）、編集プレビュー欄３０９の表示を更新するプレビュー更新処理が行われ（Ｓ８７、図２２参照）、Ｓ７２へ戻る。
【０１１１】
また、修飾リスト追加削除ボタン３０２が選択されて修飾リストの追加削除が指示されたら（Ｓ８５：ＹＥＳ）、図２４に示す修飾リスト追加削除処理が行われ（Ｓ８６）、編集プレビュー欄３０９の表示を更新するプレビュー更新処理が行われ（Ｓ８７、図２２参照）、Ｓ７２へ戻る。尚、修飾リスト追加削除処理については、図２４乃至図２８を参照して、後述する。
【０１１２】
尚、いずれの指示も行われない場合には（Ｓ７２：ＮＯ、Ｓ７４：ＮＯ、Ｓ７６：ＮＯ、Ｓ７８：ＮＯ、Ｓ８０：ＮＯ、Ｓ８３：ＮＯ、Ｓ８５：ＮＯ、Ｓ８８：ＮＯ）、Ｓ７２へ戻り、閉じるボタンが選択されるまで（Ｓ８８：ＹＥＳ）、繰り返しＳ７２〜Ｓ８８の処理が行われる。そして、閉じるボタンが選択されたら（Ｓ８８：ＹＥＳ）、修飾リストの詳細設定画面３００が閉じられて、表示更新処理が行われて（Ｓ８９、図１９参照）、修飾処理のＳ２へ戻る。
【０１１３】
ここで、図２２のフローチャートを参照して、Ｓ８７のプレビュー更新処理について説明する。編集選択修飾リストの編集選択レベルの修飾情報取得が修飾リスト情報記憶エリア２３１から取得され（Ｓ１０１）、設定オブジェクト種類のサンプルデータがＨＤＤ２５０のプログラム関係情報記憶エリアから取得され（Ｓ１０２）、そのサンプルデータをＳ１０１で取得された修飾情報に基づいて修飾したイメージデータが作成される（Ｓ１０３）。そして、そのイメージデータが編集プレビュー欄３０９に表示される（Ｓ１０４）。そして、プレビュー更新処理を終了して、修飾リスト編集処理のＳ７２へ戻る。
【０１１４】
次いで、図２４乃至図２８のフローチャートを参照して、Ｓ８６の修飾リスト追加削除処理について説明する。まず、修飾リストの追加と削除画面４００が表示される（Ｓ１２１）。修飾リスト一覧欄４０１が操作されて追加削除修飾リストが変更されたら（Ｓ１２２：ＹＥＳ）、指定された修飾リストに修飾リスト編集情報記憶エリア２３３の追加削除修飾リストが変更され（Ｓ１２３）、Ｓ１２２へ戻る。
【０１１５】
また、新規作成ボタン４０２が選択されて修飾リストの新規作成が指示されたら（Ｓ１２４：ＹＥＳ）、図２５に示す新規修飾リスト作成処理が行われる（Ｓ１２５）。図２５に示すように、まず名称入力画面（図示外）が表示される（Ｓ１４１）。この名称入力画面には、名称を入力するテキストボックス、キャンセルボタン、ＯＫボタンが設けられている。そして、キャンセルボタンが選択されれば（Ｓ１４２：ＹＥＳ）、何もせずに名称入力画面が閉じられ、新規修飾リスト作成処理が終了し、修飾リスト追加削除処理のＳ１２２へ戻る。また、ＯＫボタンが選択されれば（Ｓ１４３：ＹＥＳ）、修飾リスト情報記憶エリア２３１に新しい修飾リストのエリアが所定のレベル数分（例えば、３）確保され（Ｓ１４４）、テキストボックスに入力された名称が修飾リスト名称にセットされ（Ｓ１４５）、全てのレベルに「ＯＦＦ」がセットされる（Ｓ１４６）。そして、名称入力画面が閉じられ、新規修飾リスト作成処理が終了し、修飾リスト追加削除処理のＳ１２２へ戻る。尚、キャンセルボタンもＯＫボタンも選択されなければ（Ｓ１４２：ＮＯ、Ｓ１４３：ＮＯ）、Ｓ１４２へ戻る。
【０１１６】
また、図２４の修飾リスト追加削除処理では、削除ボタン４０４が選択されて修飾リストの削除が指示されたら（Ｓ１２６：ＹＥＳ）、追加削除修飾リストの修飾リストが修飾リスト情報記憶エリア２３１から削除され（Ｓ１２７）、Ｓ１２２へ戻る。
【０１１７】
また、名称の変更ボタン４０３が選択されて修飾リストの名称変更が指示されたら（Ｓ１２８：ＹＥＳ）、図２６に示す名称変更処理が行われる（Ｓ１２９）。図２６に示すように、まず名称入力画面（図示外）が表示される（Ｓ１５１）。この名称入力画面には、名称を入力するテキストボックス、キャンセルボタン、ＯＫボタンが設けられている。そして、キャンセルボタンが選択されれば（Ｓ１５２：ＹＥＳ）、何もせずに名称入力画面が閉じられ、名称変更処理が終了し、修飾リスト追加削除処理のＳ１２２へ戻る。また、ＯＫボタンが選択されれば（Ｓ１５３：ＹＥＳ）、修飾リスト情報記憶エリア２３１の追加削除修飾リストの修飾リストの修飾リスト名称がテキストボックスに入力された名称に変更される（Ｓ１５４）。そして、名称入力画面が閉じられ、名称変更処理が終了し、修飾リスト追加削除処理のＳ１２２へ戻る。尚、キャンセルボタンもＯＫボタンも選択されなければ（Ｓ１５２：ＮＯ、Ｓ１５３：ＮＯ）、Ｓ１５２へ戻る。
【０１１８】
また、図２４の修飾リスト追加削除処理では、インポートボタン４０５が選択されて修飾リストのインポートが指示されたら（Ｓ１３０：ＹＥＳ）、図２７に示すインポート処理が行われる（Ｓ１３１）。図２７に示すように、まずインポートファイル選択画面（図示外）が表示される（Ｓ１６１）。このインポートファイル選択画面には、ファイル選択欄、キャンセルボタン、ＯＫボタンが設けられており、パーソナルコンピュータ５００のＨＤＤの各フォルダや、パーソナルコンピュータ５００が接続しているネットワークに開放されている他のコンピュータのフォルダ等から、インポートファイルを選択することができる。そして、キャンセルボタンが選択されれば（Ｓ１６２：ＹＥＳ）、何もせずにインポートファイル選択画面が閉じられ、インポート処理が終了し、修飾リスト追加削除処理のＳ１２２へ戻る。
【０１１９】
また、ＯＫボタンが選択されれば（Ｓ１６３：ＹＥＳ）、修飾リスト情報記憶エリア２３１において、選択されたインポートファイルの修飾リスト名称と同一の修飾リスト名称を持つ修飾リストが存在するか否かの判断が行われ（Ｓ１６４）、もしあれば（Ｓ１６４：ＹＥＳ）、インポートされるファイルの修飾リスト名称が変更される（Ｓ１６５）。本実施の形態では、例えば、末尾に「２」が付与される。尚、さらに同一名称のファイルがインポートされる場合には「３」，「４」・・・と「１」ずつ増やして、連番を付与してゆけばよい。また、操作者に異なる名称を入力させるようにしてもよい。また、同一名称がなければ（Ｓ１６４：ＮＯ）、そのままの修飾リスト名称で問題はないので、なにもしない。次いで、修飾リスト情報記憶エリア２３１に新しい修飾リストのエリアが確保され（Ｓ１６６）、そのエリアにインポートファイルの内容が反映される（Ｓ１６７）。そして、修インポートファイル選択画面が閉じられ、インポート処理が終了し、修飾リスト追加削除処理のＳ１２２へ戻る。尚、キャンセルボタンもＯＫボタンも選択されなければ（Ｓ１６２：ＮＯ、Ｓ１６３：ＮＯ）、Ｓ１６２へ戻る。
【０１２０】
また、図２４の修飾リスト追加削除処理では、エクスポートボタン４０６が選択されて修飾リストのエクスポートが指示されたら（Ｓ１３２：ＹＥＳ）、図２８に示すエクスポート処理が行われる（Ｓ１３３）。図２８に示すように、まずエクスポート指定画面（図示外）が表示される（Ｓ１７１）。このエクスポート指定画面には、修飾リスト情報記憶エリア２３１に記憶されている修飾リストの修飾リスト名称が表示され選択可能な修飾リスト選択欄、エクスポートファイルのファイル名を入力するテキストボックス、キャンセルボタン、ＯＫボタンが設けられており、パーソナルコンピュータ５００のＨＤＤの各フォルダや、パーソナルコンピュータ５００が接続しているネットワークに開放されている他のコンピュータのフォルダ等へ出力し、エクスポートファイルとして保存する修飾リストを選択することができる。そして、キャンセルボタンが選択されれば（Ｓ１７２：ＹＥＳ）、何もせずにエクスポート指定画面が閉じられて、エクスポート処理が終了し、修飾リスト追加削除処理のＳ１２２へ戻る。また、ＯＫボタンが選択されれば（Ｓ１７３：ＹＥＳ）、修飾リスト情報記憶エリア２３１において、選択された修飾リストの修飾情報がエクスポートファイルの形式に変換される（Ｓ１７４）。次いで、エクスポート指定画面で指定されたフォルダに、テキストボックスに入力された名称のエクスポートファイルが保存される（Ｓ１７５）。そして、エクスポート指定画面が閉じられて、エクスポート処理が終了し、修飾リスト追加削除処理のＳ１２２へ戻る。尚、キャンセルボタンもＯＫボタンも選択されなければ（Ｓ１７２：ＮＯ、Ｓ１７３：ＮＯ）、Ｓ１７２へ戻る。
【０１２１】
尚、図２４の修飾リスト追加削除処理にて、いずれの指示も行われない場合には（Ｓ１２２：ＮＯ、Ｓ１２４：ＮＯ、Ｓ１２６：ＮＯ、Ｓ１２８：ＮＯ、Ｓ１３０：ＮＯ、Ｓ１３２：ＮＯ、Ｓ１３４：ＮＯ）、Ｓ１２２へ戻り、閉じるボタンが選択されるまで（Ｓ１３４：ＹＥＳ）、繰り返しＳ１２２〜Ｓ１３９の処理が行われる。そして、閉じるボタンが選択されたら（Ｓ１３４：ＹＥＳ）、修飾リストの追加と削除画面が閉じられ、修飾リスト追加削除処理が終了し、図２１の修飾リスト編集処理へ戻り、編集プレビュー欄３０９の表示を更新するプレビュー更新処理が行われ（Ｓ８７、図２２参照）、Ｓ７２へ戻る。
【０１２２】
以上のようにして、修飾リストに従って作業領域１５０に表示されているオブジェクトに対する修飾が行われる。また、修飾リストの変更や削除、追加が行われる。尚、上記実施の形態の修飾リストが「集合修飾情報」に該当し、修飾リスト情報記憶エリア２３１が「集合修飾情報記憶手段」に該当する。また、図１０乃至図１２に示す修飾画面２００のプレビュー欄２０１が「印刷イメージ表示手段」に該当し、修飾リスト欄２０２が「集合修飾情報指定手段」に該当し、修飾レベルスライダ２０４が「レベル指定手段」に該当し、縦リストボックス２０６及び横リストボックス２０７が「表示数設定手段」に該当する。また、図１４に示す修飾リストの詳細設定画面３００の編集プレビュー欄３０９が「サンプル印刷イメージ表示手段」に該当し、修飾内容欄３０８が「修飾内容指定手段」に該当する。また、図２６に示す名称変更処理で表示される名称入力画面（図示外）が「名称付与手段」に相当する。
【０１２３】
また、図１８に示す修飾処理のＳ２１，Ｓ２２の処理を行うＣＰＵ５１０が「修飾設定手段」に相当し、図１９に示す表示更新処理を行うＣＰＵ５１０がが「印刷イメージ表示制御手段」に相当する。また、図２１に示す修飾リスト編集処理のＳ７７の処理を行うＣＰＵ５１０が「レベル変更手段」に相当し、Ｓ８１の処理を行うＣＰＵ５１０が「修飾情報削除手段」に相当し、Ｓ８４の処理を行うＣＰＵ５１０が「集合修飾情報編集手段」に相当する。また、図２３に示すレベル追加処理を行うＣＰＵ５１０が「修飾情報追加手段」に相当し、図２４に示す修飾リスト追加削除処理のＳ１２５の処理を行うＣＰＵ５１０が「集合修飾情報削除手段」に相当し、図２５に示す新規修飾リスト作成処理を行うＣＰＵ５１０が「集合修飾情報追加手段」に相当する。また、図２７に示すインポート処理を行うＣＰＵ５１０が「集合修飾情報出力手段」に相当し、図２８に示すエクスポート処理を行うＣＰＵ５１０が「集合修飾情報取込手段」に相当する。
【０１２４】
尚、本発明の印刷データ編集装置及び印刷データ編集プログラムは、上記した実施の形態に限定されるものではなく、本発明の要旨を逸脱しない範囲内において種々変更を加え得ることは勿論である。上記実施の形態のように、修飾リストで扱われるオブジェクト種類は、「テキスト」，「イメージ」，「全体」に限らないことは言うまでもない。例えば、複数のオブジェクトが１つ塊としてまとめられた「グループ」や、オブジェクトの配置のひな型として使用される「テンプレート」等が考えられる。また、修飾項目も図６及び図７に例示したものに限定されず、例えば、テキストでは網掛けや背景による修飾、サイズ、文字色、フォント、グラフィカル文字の指定等種々の修飾項目の設定を行ってもよい。また、イメージにおいても、輪郭線のぼかし、色調変更、サイズ等種々の修飾項目の設定を行ってもよい。また、「全体」においても、背景や地模様等種々の修飾項目の設定を行ってもよい。
【０１２５】
また、修飾リスト名称も上記実施の形態のような、修飾後のイメージを表す名称でなくともよい。例えば、ある事業所で所属部署、役職、氏名を記載した名札を作成するような場合を考える。名札に記載するの修飾を役職毎に異なるものにしたい場合には、役職分の修飾レベルを設け、役職無しならばレベル１、係長ならばレベル２、課長ならばレベル３というようにし、修飾リスト名称を「名札」というように使用目的を明確にするものとしてもよい。
【０１２６】
また、上記実施の形態では、修飾レベルスライダ２０４により修飾レベルの選択が行われたが、修飾レベルの選択方法はスライダによるものに限らず、数値をテキストボックスに入力したり、リストボックスから選択したりしてもよい。
【産業上の利用可能性】
【０１２７】
本発明の印刷データ編集装置及び印刷データ編集プログラムは、印刷装置で印刷を行うため印刷データを編集するパーソナルコンピュータ等に利用可能であり、自身で印刷データを作成する印刷装置においても利用可能である。
【図面の簡単な説明】
【０１２８】
【図１】印刷装置１及びパーソナルコンピュータ５００の概略を示す外観斜視図である。
【図２】パーソナルコンピュータ５００の電気的構成を示すブロック図である。
【図３】パーソナルコンピュータ５００のＲＡＭ５３０の記憶エリアを示す模式図である。
【図４】印刷装置１に印刷する文字等を入力するためのエディタ１００のイメージ図である。
【図５】修飾リスト情報記憶エリア２３１の概略構成を示す模式図である。
【図６】修飾リスト情報記憶エリア２３１の修飾内容２３１１の詳細な構成を示す模式図である。
【図７】修飾リスト情報記憶エリア２３１の修飾内容２３１２の詳細な構成を示す模式図である。
【図８】図４に示した印刷イメージ１４０の各オブジェクトの情報を示したオブジェクト情報記憶エリア２３４の構成を示す模式図である。
【図９】修飾後のオブジェクト情報記憶エリア２３４の構成を示す模式図である。
【図１０】修飾リストが選択されていない状態の修飾画面２００のイメージ図である。
【図１１】修飾リスト「派手に」、修飾レベル「６」が選択された修飾画面２００のイメージ図である。
【図１２】全リストが表示されている修飾画面２００のイメージ図である。
【図１３】全リストがスクロールバー２０８と共に表示されている修飾画面２００のイメージ図である。
【図１４】修飾リストの詳細設定画面３００のイメージ図である。
【図１５】修飾リストの追加と削除画面４００のイメージ図である。
【図１６】ＲＡＭ２３に設けられている修飾処理情報記憶エリア２３２の構成を示す模式図である。
【図１７】ＲＡＭ２３に設けられている修飾リスト編集情報記憶エリア２３３の構成を示す模式図である。
【図１８】修飾処理のフローチャートである。
【図１９】修飾処理の中で実施される表示更新処理のフローチャートである。
【図２０】修飾処理の中で実施される表示数変更処理のフローチャートである。
【図２１】修飾処理の中で実施される修飾リスト編集処理のフローチャートである。
【図２２】修飾リスト編集処理の中で実施されるプレビュー更新処理のフローチャートである。
【図２３】修飾リスト編集処理の中で実施されるレベル追加処理のフローチャートである。
【図２４】修飾リスト編集処理の中で実施される修飾リスト追加削除処理のフローチャートである。
【図２５】修飾リスト追加削除処理の中で実施される新規リスト作成処理のフローチャートである。
【図２６】修飾リスト追加削除処理の中で実施される名称変更処理のフローチャートである。
【図２７】修飾リスト追加削除処理の中で実施されるインポート処理のフローチャートである。
【図２８】修飾リスト追加削除処理の中で実施されエクスポート処理のフローチャートである。
【符号の説明】
【０１２９】
１  印刷装置
１００  エディタ
１４０  印刷イメージ
１５０  作業領域
２００  修飾画面
２０１  プレビュー欄
２０２  修飾リスト欄
２０３  修飾リスト編集ボタン
２０４  修飾レベルスライダ
２０５  全レベル表示チェックボックス
２０６  縦リストボックス
２０７  横リストボックス
２０８  スクロールバー
２１０  修飾イメージ
２１１  修飾イメージ
２２１〜２２９  修飾イメージ
２３１  修飾リスト情報記憶エリア
２３１１  修飾内容
２３１２  修飾内容
３００  修飾リストの詳細設定画面
３０１  編集修飾リストリストボックス
３０２  修飾リスト追加削除ボタン
３０４  設定オブジェクトリストボックス
３０５  編集修飾レベル欄
３０６  レベル追加ボタン
３０６  追加ボタン
３０７  削除ボタン
３０８  修飾内容欄
３０９  編集プレビュー欄
４００  削除画面
４０１  修飾リスト一覧欄
４０２  新規作成ボタン
４０３  名称の変更ボタン
４０４  削除ボタン
４０５  インポートボタン
４０６  エクスポートボタン
５００  パーソナルコンピュータ
５１０  ＣＰＵ
２５０  ＨＤＤ
【図１】
2005292964.tif 000003
【図２】
2005292964.tif 000004
【図３】
2005292964.tif 000005
【図４】
2005292964.tif 000006
【図５】
2005292964.tif 000007
【図６】
2005292964.tif 000008
【図７】
2005292964.tif 000009
【図８】
2005292964.tif 000010
【図９】
2005292964.tif 000011
【図１０】
2005292964.tif 000012
【図１１】
2005292964.tif 000013
【図１２】
2005292964.tif 000014
【図１３】
2005292964.tif 000015
【図１４】
2005292964.tif 000016
【図１５】
2005292964.tif 000017
【図１６】
2005292964.tif 000018
【図１７】
2005292964.tif 000019
【図１８】
2005292964.tif 000020
【図１９】
2005292964.tif 000021
【図２０】
2005292964.tif 000022
【図２１】
2005292964.tif 000023
【図２２】
2005292964.tif 000024
【図２３】
2005292964.tif 000025
【図２４】
2005292964.tif 000026
【図２５】
2005292964.tif 000027
【図２６】
2005292964.tif 000028
【図２７】
2005292964.tif 000029
【図２８】
2005292964.tif 000030